(57)【要約】【課題】  ガンギ車からテンプに回転トルクを伝達するアンクルであって、その重心が回転軸に近づくことで、その回転動作において姿勢の影響による伝達回転トルクの変動を低減する重心調整部材を提供する。【解決手段】  本発明のアンクルは、その回転軸にその重心を近づけるために用いられる重心調整部材である。例えば、アンクルに備えられるアンクル体の少なくとも一部が、アンクル体を構成する材料とは密度が異なる材料により構成されている。【選択図】図１
2012073208.tif 000002
【特許請求の範囲】
【請求項１】
ガンギ車と、
正回転または逆回転するテンプと、
前記ガンギ車から前記テンプに回転トルクを伝達するアンクルと
を備え、
前記アンクルは、前記アンクルの回転軸に前記アンクルの重心を近づけるために用いられる重心調整部材を含むことを特徴とする脱進調速機。
【請求項２】
前記アンクルは、アンクル体を備え、
前記アンクル体の少なくとも一部に前記重心調整部材を含み、前記重心調整部材は前記アンクル体を構成する材料とは密度が異なる材料により構成されていることを特徴とする請求項１に記載の脱進調速機。
【請求項３】
前記重心調整部材の密度が、前記アンクル体を構成する材料の密度よりも小さいことを特徴とする請求項１または２のいずれかに記載の脱進調速機。
【請求項４】
前記アンクル体は、前記アンクルの回転軸から前記テンプの回転軸方向に向けて延設されたサオを備え、
前記重心調整部材が、前記サオに備えられていることを特徴とする請求項２または３のいずれかに記載の脱進調速機。
【請求項５】
前記アンクル体は、前記アンクルの回転軸から前記ガンギ車の回転方向に向けて延設されたウデを備え、
前記重心調整部材が、前記ウデに備えられていることを特徴とする請求項２または３のいずれかに記載の脱進調速機。
【請求項６】
前記ウデは、入ウデと、前記アンクルの回転軸を介して前記入ウデとは反対方向に向けて前記アンクルの回転軸から延設された出ウデを備え、
前記重心調整部材が、少なくとも前記入ウデあるいは前記出ウデに備えられていることを特徴とする請求項５に記載の脱進調速機。
【請求項７】
請求項１から６のいずれかに記載された脱進調速機を備えることを特徴とする機械式時計。
【発明の詳細な説明】
【技術分野】
【０００１】
本発明は、ガンギ車と、テンプと、ガンギ車の回転トルクをテンプに伝達するアンクルとを備える脱進調速機及び機械式時計に関する。
【背景技術】
【０００２】
機械式時計用のクラブツースレバー式の脱進調速機が存在する（非特許文献１参照）。その脱進調速機に備えられているアンクル（ｐａｌｌｅｔ  ｆｏｒｋ（ｃｏｍｐｌｅｔｅ））は、アンクル体（ｐａｌｌｅｔ  ｆｏｒｋ（ｉｎｃｏｍｐｌｅｔｅ））、アンクル真（ｐａｌｌｅｔ ｓｔａｆｆ）、入ヅメ石（ｅｎｔｒｙ  ｐａｌｌｅｔ  ｊｅｗｅｌ）、出ヅメ石（ｅｘｉｔ  ｐａｌｌｅｔ  ｊｅｗｅｌ）、ケン先（ｓａｆｅｔｙ  ｐｉｎ）により構成されている。一般的な製品のアンクルにおいて、アンクル体、ケン先には真鍮が、入ヅメ石、出ヅメ石にはルビーが用いられている。
【０００３】
アンクルは、動力（ｅｎｅｒｇｙ  ａｃｃｕｍｕｌａｔｏｒ）源である香箱（ｂａｒｒｅｌ）から輪列（ｇｅａｒ  ｔｒａｉｎ）を介してガンギ車（ｅｓｃａｐｅ  ｗｈｅｅｌ）に伝達された回転トルクを、調速機（ｒｅｇｕｌａｔｉｏｎ）であるテンプ（ｂａｌａｎｃｅ）に伝達する役割をもつ。例えば、回転しているテンプに備えられた振り石（ｉｍｐｕｌｓｅ  ｐｉｎ）が、アンクルのハコ（ｓｐａｃｅ ｂｅｔｗｅｅｎ  ｅｎｔｒｙ  ｈｏｒｎ  ａｎｄ  ｅｘｉｔ  ｈｏｒｎ）に入り込み、片方のクワガタ（ｅｘｉｔ  ｈｏｒｎ）に衝撃を与える。アンクルが回転し、ガンギ車の回転を停止していた入ヅメ石がガンギ車から外れる。即ち、ガンギ車の停止が解除される。ガンギ車が入ヅメ石を押しながら回転する。即ち、ガンギ車がアンクルに回転トルクを伝達する。アンクルはアンクル真回りに回転し、もう一方のクワガタ（ｅｎｔｒｙ  ｈｏｒｎ）が振り石に衝撃を与える。即ち、アンクルがテンプに回転トルクを伝達する。回転トルクを伝達されたテンプは回転を続け、やがてテンプ受（ｂａｌａｎｃｅ  ｂｒｉｄｇｅ）とテンプとを繋ぐヒゲゼンマイ（ｈａｉｒ  ｓｐｒｉｎｇ）の弾性によりテンプは逆回転する。その後、前述した挙動と同様の原理で逆回転のテンプにも回転トルクが伝達される。前述の正回転または逆回転の回転トルク伝達の繰り返しにより、テンプが正回転または逆回転を維持することで、機械式時計は計時を行う。
【先行技術文献】
【非特許文献】
【０００４】
【非特許文献１】The Theory of Horology ;Swiss Federation of Technical Colleges,(2005),P101-121(Fig.6-6，Fig.6-7),[ISＢN:2-940025-12-6]
【発明の概要】
【発明が解決しようとする課題】
【０００５】
しかしながら、アンクルはその形状に回転対称性が無いため、重心位置が回転軸上から離れてしまっている。アンクルを備えた時計の姿勢が変化した場合、アンクルは重心位置の影響を受け、その回転挙動が姿勢により変動してしまう。ガンギ車からアンクルに伝達される回転トルク、またアンクルからテンプに伝達される回転トルクが変動するため、それによるテンプの振り角変動及び歩度変動が生じ、その結果計時精度が悪化してしまう問題があった。
【０００６】
そこで、本発明は上記点に鑑みてなされたものであり、アンクルの重心位置による伝達回転トルクの変動を低減することができる脱進機及びそれを備える機械式時計を提供することを目的とする。
【課題を解決するための手段】
【０００７】
本発明は、時計用の脱進調速機において、ガンギ車と、正回転または逆回転するテンプと、ガンギ車からテンプに回転トルクを伝達するアンクルとを備え、アンクルは、アンクルの回転軸にアンクルの重心を近づけるために用いられる重心調整部材を含むことを特徴とする。
【０００８】
かかる特徴によれば、ガンギ車からテンプに回転トルクを伝達するアンクルの重心が回転軸に近づくことで、その回転動作において姿勢の影響による伝達回転トルクの変動を低減することができる。姿勢の影響による伝達回転トルクの変動を低減することで、姿勢の違いによるテンプの振り角変動が低減する。テンプの振り角変動が低減すると、歩度変動が低減するため、その結果時計の計時精度が向上する。
【０００９】
また、本発明の脱進調速機において、アンクルは、アンクル体を備え、アンクル体の少なくとも一部に重心調整部材を含み、重心調整部材はアンクル体を構成する材料とは密度が異なる材料により構成されていることを特徴とする。
また、本発明の脱進調速機において、重心調整部材の密度が、アンクル体を構成する材料の密度よりも小さいことを特徴とする。
【００１０】
また、本発明の脱進調速機において、アンクル体は、アンクルの回転軸からテンプの回転軸方向に向けて延設されたサオを備え、重心調整部材が、サオに備えられていることを特徴とする。
また、本発明の脱進調速機において、アンクル体は、アンクルの回転軸からガンギ車の回転方向に向けて延設されたウデを備え、重心調整部材が、ウデに備えられていることを特徴とする。
【００１１】
また、本発明の脱進調速機において、ウデは、入ウデと、アンクルの回転軸を介して入ウデとは反対方向に向けてアンクルの回転軸から延設された出ウデを備え、重心調整部材が、少なくとも入ウデあるいは出ウデに備えられていることを特徴とする。
また、本発明における機械式時計は、重心調整部材を備えた脱進調速機を備えることを特徴とする。
【発明の効果】
【００１２】
本発明によれば、時計において、姿勢の影響による伝達回転トルクの変動を低減することができ、その結果時計の計時精度を向上させることができる。
【図面の簡単な説明】
【００１３】
【図１】図１は、本発明の実施の形態１に係る、機械式時計の表輪列を示す図である。
【図２】図２は、本発明の実施の形態１に係る、機械式時計における輪列の香箱車５０８からガンギ車６８を示す断面図である。
【図３】図３は、本発明の実施の形態１に係る、機械式時計における輪列のガンギ車６８からテンプ５１６を示す断面図である。
【図４】図４は、本発明の実施の形態１に係る、アンクル２を備える脱進調速機を示す図である。
【図５】図５は、従来のアンクル２を示す図である。
【図６】図６は、本発明の実施の形態１に係る、アンクル２ａを示す図である。
【図７】図７は、本発明の実施の形態２に係る、アンクル２ｂを示す図である。
【図８】図８は、本発明の実施の形態３に係る、アンクル２ｃを示す図である。
【図９】図９は、本発明の実施の形態４に係る、アンクル２ｄを示す図である。
【図１０】図１０は、本発明の実施の形態５に係る、アンクル２ｅを示す図である。
【図１１】図１１は、本発明の実施の形態６に係る、アンクル２ｆを示す図である。
【図１２】図１２は、本発明の実施の形態７に係る、アンクル２ｇを示す図である。
【図１３】図１３は、本発明の実施の形態８に係る、アンクル２ｈを示す図である。
【図１４】図１４は、本発明の実施の形態９に係る、アンクル２ｉを示す図である。
【発明を実施するための形態】
【００１４】
［実施の形態１］
（機械式時計の構成）
図１は、機械式時計の表輪列を示す図であり、図２は、機械式時計における輪列の香箱車５０８からガンギ車６８を示す断面図であり、図３は、機械式時計における輪列のガンギ車６８からテンプ５１６を示す断面図である。
【００１５】
機械式時計において、機械式時計のムーブメント（駆動部分を含む機械体）５１８は、ムーブメントの基板を構成する地板５００を有する。巻真５０２が、地板５００の巻真案内穴５００ａに回転可能に組み込まれる。文字板５２０が、ムーブメント５１８に取付けられる。一般に、地板の両側において、文字板のある方の側をムーブメントの「裏側」と称し、文字板のある方の側と反対側をムーブメントの「表側」と称する。ムーブメントの「表側」に組み込まれる輪列を「表輪列」と称し、ムーブメントの「裏側」に組み込まれる輪列を「裏輪列」と称する。オシドリ５２２、カンヌキ５２４、カンヌキバネ５２６、裏押さえ５２８を含む切替装置により、巻真５０２の軸線方向の位置を決める。キチ車５３０が巻真５０２の案内軸部に回転可能に設けられる。巻真５０２が、回転軸線方向に沿ってムーブメントの内側に一番近い方の第１の巻真位置（０段目）にある状態で巻真５０２を回転させると、ツヅミ車の回転を介してキチ車５３０が回転する。丸穴車５０４が、キチ車５３０の回転により回転する。角穴車５０６が、丸穴車５０４の回転により回転する。角穴車５０６が回転することにより、香箱車５０８に収容されたゼンマイ５３２を巻き上げる。二番車５１０が、香箱車５０８の回転により回転する。ガンギ車６８が、四番車５１４、三番車５１２、二番車５１０の回転を介して回転する。香箱車５０８、二番車５１０、三番車５１２、四番車５１４は表輪列を構成する。
【００１６】
表輪列の回転を制御するための脱進・調速装置は、テンプ５１６と、ガンギ車６８と、アンクル２とを含む。テンプ５１６は、テン真５１６ａと、テン輪５１６ｂと、ヒゲゼンマイ５１６ｃとを含む。二番車５１０の回転に基づいて、筒カナ５３４が同時に回転する。筒カナ５３４に取付けられた分針５３６が「分」を表示する。筒カナ５３４には、二番車５１０に対するスリップ機構が設けられる。筒カナ５３４の回転に基づいて、日ノ裏車の回転を介して、筒車５３８が回転する。筒車５３８に取付けられた時針５４０が「時」を表示する。ヒゲゼンマイ５１６ｃは、複数の巻き数をもったうずまき状（螺旋状）の形態の薄板バネである。ヒゲゼンマイ５１６ｃの内端部は、テン真５１６ａに固定されたヒゲ玉５１６ｄに固定され、ヒゲゼンマイ５１６ｃの外端部は、テンプ受５４２に固定されたヒゲ持受５４４に取り付けたヒゲ持５４４ａを介してねじ締めにより固定される。緩急針５４６が、テンプ受５４２に回転可能に取付けられている。ヒゲ受５４８とヒゲ棒５５０が、緩急針５４６に取付けられている。ヒゲゼンマイ５１６ｃの外端部に近い部分は、ヒゲ受５４８とヒゲ棒５５０との間に位置する。テンプ５１６は、地板５００及びテンプ受５４２に対して回転可能なように支持される。
【００１７】
香箱車５０８は、香箱歯車５０８ｄと、香箱真５０８ｆ、ゼンマイ５５２とを備える。香箱真５０８ｆは、上軸部５０８ａと、下軸部５０８ｂとを含む。香箱真５０８ｆは、炭素鋼などの金属で形成される。香箱歯車５０８ｄは黄銅などの金属で形成される。二番車５１０は、上軸部５１０ａと、下軸部５１０ｂと、カナ部５１０ｃと、歯車部５１０ｄと、ソロバン玉部５１０ｈとを含む。二番車５１０のカナ部５１０ｃは香箱歯車５０８ｄと噛み合うように構成される。上軸部５１０ａと、下軸部５１０ｂと、ソロバン玉部５１０ｈは、炭素鋼などの金属で形成される。歯車部５１０ｄは黄銅などの金属で形成される。三番車５１２は、上軸部５１２ａと、下軸部５１２ｂと、カナ部５１２ｃと、歯車部５１２ｄとを含む。三番車５１２のカナ部５１２ｃは歯車部５１０ｄと噛み合うように構成される。四番車５１４は、上軸部５１４ａと、下軸部５１４ｂと、カナ部５１４ｃと、歯車部５１４ｄとを含む。四番車５１４のカナ部５１４ｃは歯車部５１２ｄと噛み合うように構成される。上軸部５１４ａと、下軸部５１４ｂは、炭素鋼などの金属で形成される。歯車部５１４ｄは黄銅などの金属で形成される。
【００１８】
ガンギ車６８は、上軸部６８ａと、下軸部６８ｂと、カナ部６８ｃと、歯車部６８ｄとを含む。ガンギ車６８のカナ部６８ｃは歯車部５１４ｄと噛み合うように構成される。アンクル２は、アンクル体３と、アンクル真１８とを備える。アンクル真１８は、上軸部１８ａと、下軸部１８ｂとを含む。
【００１９】
香箱車５０８は、地板５００及び香箱受５５４に対して回転可能なように支持される。すなわち、香箱真５０８ｆの上軸部５０８ａは、香箱受５５４に対して回転可能なように支持される。香箱真５０８ｆの下軸部５０８ｂは、地板５００に対して、回転可能に支持される。二番車５１０、三番車５１２、四番車５１４、ガンギ車６８は、地板５００及び輪列受５５６に対して回転可能なように支持される。すなわち、二番車５１０の上軸部５１０ｂ、三番車５１２の上軸部５１２ａ、四番車５１４の上軸部５１４ａ、ガンギ車６８の上軸部６８ａは、輪列受５５６に対して回転可能なように支持される。また、二番車５１０の下軸部５１０ｂ、三番車５１２の下軸部５１２ｂ、四番車５１４の下軸部５１４ｂ、ガンギ車６８の下軸部６８ｂは、地板５００に対して、回転可能に支持される。アンクル２は、地板５００及びアンクル受５５８に対して回転可能なように支持される。すなわち、アンクル２の上軸部１８ａは、アンクル受５５８に対して回転可能なように支持される。アンクル２の下軸部１８ｂは、地板５００に対して、回転可能に支持される。
【００２０】
香箱真５０８ｆの上軸部５０８ａを回転可能に支持する香箱受５５４の軸受部と、二番車５１０の上軸部５１０ａを回転可能に支持する輪列受５５６の軸受部と、三番車５１２の上軸部５１２ａ を回転可能に支持する輪列受５５６の軸受部と、四番車５１４の上軸部５１４ａを回転可能に支持する輪列受５５６の軸受部と、ガンギ車６８の上軸部６８ａを回転可能に支持する輪列受５５６の軸受部と、アンクル２の上軸部１８ａを回転可能に支持するアンクル受５５８の軸受部には、潤滑油が注油される。秒ロータ５６０の下軸部５６０ｂを回転可能に支持する地板５００の軸受部と、香箱真５０８ｆの下軸部５０８ｂを回転可能に支持する地板５００の軸受部と、二番車５１０の下軸部５１０ｂを回転可能に支持する地板５００の軸受部と、三番車５１２の下軸部５１２ｂを回転可能に支持する地板５００の軸受部と、四番車５１４の下軸部５１４ｂを回転可能に支持する地板５００の軸受部と、ガンギ車６８の下軸部５０８ｂを回転可能に支持する地板５００の軸受部と、アンクル２の下軸部１８ｂを回転可能に支持する地板５００の軸受部には、潤滑油が注油される。この潤滑油は、精密機械用油であるのが好ましく、いわゆる時計油であるのが特に好ましい。地板５００のそれぞれの軸受部、香箱受５５４の軸受部、輪列受５５６のそれぞれの軸受部には、潤滑油の保持性能を高めるために、円錐状、円筒状、又は、円錐台状の油溜め部を設けるのが好ましい。油溜め部を設けると、潤滑油の表面張力により油が拡散するのを効果的に阻止することができる。地板５００、香箱受５５４、輪列受５５６、アンクル受５５８は、黄銅などの金属で形成してもよいし、ポリ−カーボネートなどのエンジニアリングプラスチックで形成してもよい。
【００２１】
（脱進調速機の構成）
図４は、本発明の実施の形態１において、アンクル２を備える脱進調速機を説明する斜視図である。また、図５はアンクル２を説明する上面図である。
【００２２】
脱進調速機６０５に備えられているアンクル２は、アンクル真１８を回転軸として回転可能である。アンクル真１８には、アンクル体３が圧入されている。アンクル体３は、アンクル真１８からテン真５１６ａに向かう方向にサオ２４と、入ヅメ石１４を保持する入ウデ２０と、出ヅメ石１６を保持する出ウデ２２とを備えている。サオ２４のアンクル真１８からテン真５１６ａに向かう方向の端部には、ケン先穴６０６と、クワガタ２６、２８が備えられており、ケン先穴６０６にはケン先１０が圧入保持されている。また、クワガタ２６、２８の間には、ハコ１２と呼ばれる空間がある。一般的な製品のアンクル２において、アンクル体３とケン先１０には例えば真鍮が、アンクル真１８には例えば炭素鋼が、入ヅメ石１４と出ヅメ石１６には例えばルビーが用いられている。
【００２３】
アンクル体３とケン先１０に真鍮（密度8.45g/cm3）が、アンクル真１８に炭素鋼（密度7.82g/cm3）が、入ヅメ石１４と出ヅメ石１６にルビー（密度4.0g/cm3）が用いられているとき、アンクル２の重心は、重心１００で示す位置にあり、またアンクル真１８の回転中心１０４から距離１０２だけ離れている。距離１０２は、例えば４３８ミクロンメートルである。
【００２４】
また、脱進調速機６０５に備えられているテンプ５１６は、テン真５１６ａと、切り欠き部８ａを備えた小ツバ８と、振り石６を備えた大ツバ９と、小ツバ８と大ツバ９を備えた振リ座４と、テン輪５１６ｂと、ヒゲ玉５１６ｄと、ヒゲゼンマイ５１６ｃと、ヒゲ持５４４ａにより構成されている。また、ヒゲ持５４４ａはテンプ受５４２（図示しない）に保持されている。
【００２５】
また、脱進調速機に備えられているガンギ車６８は、上軸部６８ａ、下軸部６８ｂ、カナ部６８ｃ、歯車部６８ｄにより構成されている。
【００２６】
アンクル２は、動力源である香箱６００から輪列６０１を介してガンギ車６８に伝達された回転トルクを、調速機６０４であるテンプ５１６に伝達する役割をもつ。例えば、正回転しているテンプ５１６に備えられた振り石６が、アンクル２のハコ１２に入り込み、片方のクワガタ２８に衝撃を与える。アンクル２が回転し、ガンギ車６８の回転を停止していた入ヅメ石１４がガンギ車６８の歯車部６８ｂから外れる。即ち、ガンギ車６８の停止が解除される。ガンギ車６８の歯車部６８ｂが入ヅメ石１４を押しながら回転する。即ち、ガンギ車６８がアンクル２に回転トルクを伝達する。アンクル２はアンクル真１８回りに回転し、もう一方のクワガタ２６が振り石４に衝撃を与える。即ち、アンクル２がテンプ５１６に回転トルクを伝達する。同時に、出ヅメ石６１がガンギ車６８の歯車部６８ｂに掛かり、ガンギ車６８は回転を停止する。ガンギ車６８の回転トルクを伝達されたテンプ５１６は回転を続け、やがてテンプ受５４２とテンプ５１６とを繋ぐヒゲゼンマイ５１６ｃの弾性によりテンプ５１６は逆回転する。
【００２７】
テンプ５１６が逆回転すると、振り石６が、アンクル２のハコ１２に入り込み、片方のクワガタ２６に衝撃を与える。アンクル２が回転し、ガンギ車６８の回転を停止していた出ヅメ石６１がガンギ車６８から外れる。即ち、ガンギ車６８の停止が解除される。ガンギ車６８の歯車部６８ｂが出ヅメ石６１を押しながら回転する。即ち、ガンギ車６８がアンクル２に回転トルクを伝達する。アンクル２はアンクル真１８回りに回転し、もう一方のクワガタ２８が振り石６に衝撃を与える。即ち、アンクル２がテンプ５１６に回転トルクを伝達する。同時に、入ヅメ石１４がガンギ車６８の歯車部６８ｂに掛かり、ガンギ車６８は回転を停止する。回転トルクを伝達されたテンプ５１６は回転を続け、やがてテンプ受とテンプ５１６とを繋ぐヒゲゼンマイ５１６ｃの弾性によりテンプ５１６は正回転する。
【００２８】
正回転または逆回転の回転トルク伝達の繰り返しにより、テンプ５１６が正回転または逆回転を維持することで、機械式時計は計時を行う。
【００２９】
（本発明部の構成）
図６は、本発明の実施の形態１において、アンクル２ａを説明する上面図である。
アンクル２ａのアンクル２との違いは、アンクル２におけるアンクル体３がアンクル２ａでは材料の異なる2種の部品であるアンクル体３ａ、３ｂで構成されていることである。アンクル体３ａを構成する材料は、アンクル体３の材料と同じであり、例えば真鍮である。アンクル体３ｂを構成する材料は、アンクル体３ａの材料とは密度の異なる材料であり、例えば真鍮よりも密度の小さなシリコンである。またアンクル体３ｂを構成する材料は、重心調整のために場合によってはアンクル体３ａの材料よりも密度の大きな材料となってもよい。
【００３０】
アンクル体３ａ、３ｂは、アンクル体３ｂのアンクル真１８側の端部に凸部が、またアンクル体３ａのアンクル真１８からテン真５１６ａに向かう位置に凹部が形成されており、凸部と凹部の接合部６０７で圧入や接着などにより接合される。また、アンクル体３ｂのアンクル真１８側の端部に凹部が、またアンクル体３ａのアンクル真１８からテン真５１６ａに向かう位置に凸部が備わり、接合されてもよい。
【００３１】
アンクル体３ａ、３ｂの加工方法は、例えばプレスや切削などの機械加工や、エッチングなどの除去加工、また電気鋳造などにより成形される。
【００３２】
（本発明の作用及び効果）
アンクル体３ｂは、アンクル体３ａの材料とは密度の異なる材料を用いることで、アンクル２ａの重心調整機能を備える。例えば、アンクル体３ａとケン先１０に真鍮（密度8.45g/cm3）が、アンクル体３ｂにシリコン（密度2.33g/cm3）が、アンクル真１８に炭素鋼（密度7.82g/cm3）が、入ヅメ石１４と出ヅメ石１６にルビー（密度4.0g/cm3）が用いられているとき、アンクル２ａの重心は、重心１００ａに位置し、またアンクル真１８の回転中心１０４から距離１０２ａだけ離れている。距離１０２ａは、前記材料条件のとき２７２ミクロンメートルであり、従来の距離１０２の４３８ミクロンメートルに比べて、重心がアンクル真１８の回転中心１０４に近づいていることが分かる。
【００３３】
重心１００ａが回転中心１０４に近づくことにより、時計の姿勢の違いによるアンクル２ａの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００３４】
以上説明したように、本発明の実施の形態１に係る重心調整部材を備えた機械式時計は、計時精度を向上することができる。
【００３５】
［実施の形態２］
図７は、本発明の実施の形態２において、アンクル２ｂを説明する上面図である。また、２点鎖線で囲まれた円であるＢ部は、詳細図である。
【００３６】
アンクル２ｂのアンクル２との違いは、アンクル２におけるアンクル体３がアンクル２ｂでは材料の異なる2種の部品であるアンクル体３ｃ、３ｄで構成されていることである。アンクル体３ｃを構成する材料は、アンクル体３の材料と同じであり、例えば真鍮である。アンクル体３ｄを構成する材料は、アンクル体３ｃの材料とは密度の異なる材料であり、例えば真鍮よりも密度の大きなニッケルである。またアンクル体３ｄを構成する材料は、重心調整のために場合によってはアンクル体３ｃの材料よりも密度の小さな材料となってもよい。
【００３７】
アンクル体３ｃ、３ｄは、アンクル体３ｄのアンクル真１８側の端部に凸部が、またアンクル体３ｃの入ヅメ石１４側端部に凹部が形成されており、凸部と凹部の接合部６０７ｂで圧入や接着などにより接合される。また、アンクル体３ｄのアンクル真１８側の端部に凹部が、またアンクル体３ｃのアンクル真１８からテン真５１６ａに向かう位置に凸部が備わり、接合されてもよい。
【００３８】
アンクル体３ｃ、３ｄの加工方法は、例えばプレスや切削、エッチングなどの機械加工や、電気鋳造などにより成形される。
【００３９】
アンクル体３ｄは、アンクル体３ｃの材料とは密度の異なる材料を用いることで、アンクル２ｂの重心調整機能を備える。例えば、アンクル体３ｃとケン先１０に真鍮（密度8.45g/cm3）が、アンクル体３ｄにニッケル（密度8.908g/cm3）が、アンクル真１８に炭素鋼（密度7.82g/cm3）が、入ヅメ石１４と出ヅメ石１６にルビー（密度4.0g/cm3）が用いられているとき、アンクル２ｂの重心は、重心１００ｂに位置し、またアンクル真１８の回転中心１０４から距離１０２ｂだけ離れている。距離１０２ｂは、前記材料条件のとき４３３ミクロンメートルであり、従来の距離１０２の４３８ミクロンメートルに比べて、重心がアンクル真１８の回転中心１０４に近づいていることが分かる。
【００４０】
重心１００ｂが回転中心１０４に近づくことにより、時計の姿勢の違いによるアンクル２ｂの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００４１】
以上説明したように、本発明の実施の形態２に係る重心調整部材を備えた機械式時計は、計時精度を向上することができる。
また、実施の形態２は、実施の形態１とともに用いてもよい。
【００４２】
［実施の形態３］
図８は、本発明の実施の形態３において、アンクル２ｃを説明する上面図である。また、２点鎖線で囲まれた円であるＣ部は、詳細図である。
【００４３】
アンクル２ｃのアンクル２との違いは、アンクル２におけるアンクル体３がアンクル２ｃでは材料の異なる2種の部品であるアンクル体３ｅ、３ｆで構成されていることである。アンクル体３ｅを構成する材料は、アンクル体３の材料と同じであり、例えば真鍮である。アンクル体３ｆを構成する材料は、アンクル体３ｅの材料とは密度の異なる材料であり、例えば真鍮よりも密度の大きなニッケルである。またアンクル体３ｆを構成する材料は、重心調整のために場合によってはアンクル体３ｅの材料よりも密度の小さな材料となってもよい。
【００４４】
アンクル体３ｅ、３ｆは、アンクル体３ｆのアンクル真１８側の端部に凸部が、またアンクル体３ｅの出ヅメ石１６側端部に凹部が形成されており、凸部と凹部の接合部６０７ｃで圧入や接着などにより接合される。また、アンクル体３ｆのアンクル真１８側の端部に凹部が、またアンクル体３ｅのアンクル真１８からテン真５１６ａに向かう位置に凸部が備わり、接合されてもよい。
【００４５】
アンクル体３ｅ、３ｆの加工方法は、例えばプレスや切削、エッチングなどの機械加工や、電気鋳造などにより成形される。
【００４６】
アンクル体３ｆは、アンクル体３ｅの材料とは密度の異なる材料を用いることで、アンクル２ｃの重心調整機能を備える。例えば、アンクル体３ｅとケン先１０に真鍮（密度8.45g/cm3）が、アンクル体３ｆにニッケル（密度8.908g/cm3）が、アンクル真１８に炭素鋼（密度7.82g/cm3）が、入ヅメ石１４と出ヅメ石１６にルビー（密度4.0g/cm3）が用いられているとき、アンクル２ｃの重心は、重心１００ｃに位置し、またアンクル真１８の回転中心１０４から距離１０２ｃだけ離れている。距離１０２ｃは、前記材料条件のとき４３５ミクロンメートルであり、従来の距離１０２の４３８ミクロンメートルに比べて、重心がアンクル真１８の回転中心１０４に近づいていることが分かる。
【００４７】
重心１００ｃが回転中心１０４に近づくことにより、時計の姿勢の違いによるアンクル２ｃの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００４８】
以上説明したように、本発明の実施の形態３に係る重心調整部材を備えた機械式時計は、計時精度を向上することができる。
また、実施の形態３は、実施の形態１または２とともに用いてもよい。
【００４９】
［実施の形態４］
図９は、本発明の実施の形態４において、アンクル２ｄを説明する上面図である。
アンクル２ｄのアンクル２との違いは、アンクル２におけるアンクル体３がアンクル２ｄでは材料の異なる2種の材料である複数のアンクル体３ｇ、３ｈ、３ｉで構成されていることである。アンクル体３ｇ、３ｉを構成する材料は、アンクル体３の材料と同じであり、例えば真鍮である。アンクル体３ｈを構成する材料は、アンクル体３ｇ、３ｉの材料とは密度の異なる材料であり、例えば真鍮よりも密度の小さなシリコンである。またアンクル体３ｈを構成する材料は、重心調整のために場合によってはアンクル体３ｇ、３ｉの材料よりも密度の大きな材料となってもよい。
【００５０】
アンクル体３ｇ、３ｈ、３ｉは、アンクル体３ｈのアンクル真１８側の端部に凸部が、テン真５１６ａ側の端部に凸部が、またアンクル体３ｇのテン真５１６ａ側端部に凹部が、またアンクル体３ｉのアンクル真１８側端部に凹部が形成されており、凸部と凹部の接合部６０７ｄ、６０７ｅで圧入や接着などにより接合される。また、アンクル体３ｈのアンクル真１８側の端部に凹部が、テン真５１６ａ側の端部に凹部が、またアンクル体３ｇのテン真５１６ａ側端部に凸部が、またアンクル体３ｉのアンクル真１８側端部に凸部が形成され、接合されてもよい。
【００５１】
アンクル体３ｇ、３ｈ、３ｉの加工方法は、例えばプレスや切削、エッチングなどの機械加工や、電気鋳造などにより成形される。
【００５２】
アンクル体３ｈは、アンクル体３ｇ、３ｉの材料とは密度の異なる材料を用いることで、アンクル２ｄの重心調整機能を備える。例えば、アンクル体３ｇ、３ｉとケン先１０に真鍮（密度8.45g/cm3）が、アンクル体３ｈにシリコン（密度2.33g/cm3）が、アンクル真１８に炭素鋼（密度7.82g/cm3）が、入ヅメ石１４と出ヅメ石１６にルビー（密度4.0g/cm3）が用いられているとき、アンクル２ｄの重心は、重心１００ｄに位置し、またアンクル真１８の回転中心１０４から距離１０２ｄだけ離れている。距離１０２ｄは、前記材料条件のとき４０２ミクロンメートルであり、従来の距離１０２の４３８ミクロンメートルに比べて、重心がアンクル真１８の回転中心１０４に近づいていることが分かる。
【００５３】
重心１００ｄが回転中心１０４に近づくことにより、時計の姿勢の違いによるアンクル２ｄの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００５４】
以上説明したように、本発明の実施の形態４に係る重心調整部材を備えた機械式時計は、計時精度を向上することができる。
また、実施の形態４は、実施の形態２または３とともに用いてもよい。
【００５５】
［実施の形態５］
図１０は、本発明の実施の形態５において、アンクル２ｅを説明する上面図である。また、２点鎖線で囲まれた円であるＤ部は、詳細図である。
【００５６】
アンクル２ｅのアンクル２との違いは、アンクル２におけるアンクル体３がアンクル２ｅでは材料の異なる2種の材料である複数のアンクル体３ｊ、３ｋ、３ｌで構成されていることである。アンクル体３ｊ、３ｌを構成する材料は、アンクル体３の材料と同じであり、例えば真鍮である。アンクル体３ｋを構成する材料は、アンクル体３ｊ、３ｌの材料とは密度の異なる材料であり、例えば真鍮よりも密度の大きなニッケルである。またアンクル体３ｋを構成する材料は、重心調整のために場合によってはアンクル体３ｊ、３ｌの材料よりも密度の小さな材料となってもよい。
【００５７】
アンクル体３ｊ、３ｋ、３ｌは、アンクル体３ｋのアンクル真１８側の端部に凸部が、入ヅメ石１４側の端部に凸部が、またアンクル体３ｊの入ヅメ石１４側端部に凹部が、またアンクル体３ｌのアンクル真１８側端部に凹部が形成されており、凸部と凹部の接合部６０７ｆ、６０７ｇで圧入や接着などにより接合される。また、アンクル体３ｋのアンクル真１８側の端部に凹部が、入ヅメ石１４側の端部に凹部が、またアンクル体３ｊの入ヅメ石１４側端部に凸部が、またアンクル体３ｌのアンクル真１８側端部に凸部が形成され、接合されてもよい。
【００５８】
アンクル体３ｊ、３ｋ、３ｌの加工方法は、例えばプレスや切削、エッチングなどの機械加工や、電気鋳造などにより成形される。
【００５９】
アンクル体３ｋは、アンクル体３ｊ、３ｌの材料とは密度の異なる材料を用いることで、アンクル２ｅの重心調整機能を備える。例えば、アンクル体３ｊ、３ｌとケン先１０に真鍮（密度8.45g/cm3）が、アンクル体３ｋにニッケル（密度8.908g/cm3）が、アンクル真１８に炭素鋼（密度7.82g/cm3）が、入ヅメ石１４と出ヅメ石１６にルビー（密度4.0g/cm3）が用いられているとき、アンクル２ｅの重心は、重心１００ｅに位置し、またアンクル真１８の回転中心１０４から距離１０２ｅだけ離れている。距離１０２ｅは、前記材料条件のとき４３６ミクロンメートルであり、従来の距離１０２の４３８ミクロンメートルに比べて、重心がアンクル真１８の回転中心１０４に近づいていることが分かる。
【００６０】
重心１００ｅが回転中心１０４に近づくことにより、時計の姿勢の違いによるアンクル２ｅの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００６１】
以上説明したように、本発明の実施の形態５に係る重心調整部材を備えた機械式時計は、計時精度を向上することができる。
また、実施の形態５は、実施の形態１または３または４とともに用いてもよい。
【００６２】
［実施の形態６］
図１１は、本発明の実施の形態６において、アンクル２ｆを説明する上面図である。また、２点鎖線で囲まれた円であるＥ部は、詳細図である。
【００６３】
アンクル２ｆのアンクル２との違いは、アンクル２におけるアンクル体３がアンクル２ｆでは材料の異なる2種の材料である複数のアンクル体３ｍ、３ｎ、３ｏで構成されていることである。アンクル体３ｍ、３ｏを構成する材料は、アンクル体３の材料と同じであり、例えば真鍮である。アンクル体３ｎを構成する材料は、アンクル体３ｍ、３ｏの材料とは密度の異なる材料であり、例えば真鍮よりも密度の大きなニッケルである。またアンクル体３ｎを構成する材料は、重心調整のために場合によってはアンクル体３ｍ、３ｏの材料よりも密度の小さな材料となってもよい。
【００６４】
アンクル体３ｍ、３ｎ、３ｏは、アンクル体３ｎのアンクル真１８側の端部に凸部が、出ヅメ石１６側の端部に凸部が、またアンクル体３ｍの出ヅメ石１６側端部に凹部が、またアンクル体３ｏのアンクル真１８側端部に凹部が形成されており、凸部と凹部の接合部６０７ｈ、６０７ｉで圧入や接着などにより接合される。また、アンクル体３ｎのアンクル真１８側の端部に凹部が、出ヅメ石１６側の端部に凹部が、またアンクル体３ｍの出ヅメ石１６側端部に凸部が、またアンクル体３ｏのアンクル真１８側端部に凸部が形成され、接合されてもよい。
【００６５】
アンクル体３ｍ、３ｎ、３ｏの加工方法は、例えばプレスや切削、エッチングなどの機械加工や、電気鋳造などにより成形される。
【００６６】
アンクル体３ｎは、アンクル体３ｍ、３ｏの材料とは密度の異なる材料を用いることで、アンクル２ｆの重心調整機能を備える。例えば、アンクル体３ｍ、３ｏとケン先１０に真鍮（密度8.45g/cm3）が、アンクル体３ｎにニッケル（密度8.908g/cm3）が、アンクル真１８に炭素鋼（密度7.82g/cm3）が、入ヅメ石１４と出ヅメ石１６にルビー（密度4.0g/cm3）が用いられているとき、アンクル２ｆの重心は、重心１００ｆに位置し、またアンクル真１８の回転中心１０４から距離１０２ｆだけ離れている。距離１０２ｆは、前記材料条件のとき４３７ミクロンメートルであり、従来の距離１０２の４３８ミクロンメートルに比べて、重心がアンクル真１８の回転中心１０４に近づいていることが分かる。
【００６７】
重心１００ｆが回転中心１０４に近づくことにより、時計の姿勢の違いによるアンクル２ｆの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００６８】
以上説明したように、本発明の実施の形態６に係る重心調整部材を備えた機械式時計は、計時精度を向上することができる。
また、実施の形態６は、実施の形態１または２または４または５とともに用いてもよい。
【００６９】
［実施の形態７］
図１２は、本発明の実施の形態７において、アンクル２ｇを説明する上面図である。
アンクル２ｇのアンクル２との違いは、ケン先１０ｇを構成する材料がケン先１０を構成する材料とは密度の異なる材料であり、例えば真鍮よりも密度の小さなシリコンである。
【００７０】
ケン先１０ｇは、アンクル２ｇの重心調整機能を備える。例えば、アンクル体３に真鍮（密度8.45g/cm3）が、ケン先１０ｇにシリコン（密度2.33g/cm3）が、アンクル真１８に炭素鋼（密度7.82g/cm3）が、入ヅメ石１４と出ヅメ石１６にルビー（密度4.0g/cm3）が用いられているとき、アンクル２ｇの重心は、重心１００ｇに位置し、またアンクル真１８の回転中心１０４から距離１０２ｇだけ離れている。距離１０２ｇは、前記材料条件のとき３２８ミクロンメートルであり、従来の距離１０２の４３８ミクロンメートルに比べて、重心がアンクル真１８の回転中心１０４に近づいていることが分かる。
【００７１】
重心１００ｇが回転中心１０４に近づくことにより、時計の姿勢の違いによるアンクル２ｇの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００７２】
以上説明したように、本発明の実施の形態７に係る重心調整部材を備えた機械式時計は、計時精度を向上することができる。
また、実施の形態７は、実施の形態１から６とともに用いてもよい。
【００７３】
［実施の形態８］
図１３は、本発明の実施の形態８において、アンクル２ｈを説明する上面図である。また、２点鎖線で囲まれた円であるＦ部は、詳細図である。
【００７４】
アンクル２ｈのアンクル２との違いは、入ヅメ石１４ｈを構成する材料が入ヅメ石１４を構成する材料とは密度の異なる材料であり、例えば真鍮よりも密度の大きなニッケルである。
【００７５】
入ヅメ石１４ｈは、アンクル２ｈの重心調整機能を備える。例えば、アンクル体３、ケン先１０に真鍮（密度8.45g/cm3）が、アンクル真１８に炭素鋼（密度7.82g/cm3）が、出ヅメ石１６にルビー（密度4.0g/cm3）が、入ヅメ石１４にニッケル（密度8.908g/cm3）が用いられているとき、アンクル２ｈの重心は、重心１００ｈに位置し、またアンクル真１８の回転中心１０４から距離１０２ｈだけ離れている。距離１０２ｈは、前記材料条件のとき４２１ミクロンメートルであり、従来の距離１０２の４３８ミクロンメートルに比べて、重心がアンクル真１８の回転中心１０４に近づいていることが分かる。
【００７６】
重心１００ｈが回転中心１０４に近づくことにより、時計の姿勢の違いによるアンクル２ｈの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００７７】
以上説明したように、本発明の実施の形態８に係る重心調整部材を備えた機械式時計は、計時精度を向上することができる。
また、実施の形態８は、実施の形態１から７とともに用いてもよい。
【００７８】
［実施の形態９］
図１４は、本発明の実施の形態９において、アンクル２ｉを説明する上面図である。また、２点鎖線で囲まれた円であるＵ部は、詳細図である。
【００７９】
アンクル２ｉのアンクル２との違いは、出ヅメ石１６ｉを構成する材料が出ヅメ石１６を構成する材料とは密度の異なる材料であり、例えば真鍮よりも密度の大きなニッケルである。
【００８０】
出ヅメ石１６ｉは、アンクル２ｉの重心調整機能を備える。例えば、アンクル体３、ケン先１０に真鍮（密度8.45g/cm3）が、アンクル真１８に炭素鋼（密度7.82g/cm3）が、入ヅメ石１４にルビー（密度4.0g/cm3）が、出ヅメ石１６ｉにニッケル（密度8.908g/cm3）が用いられているとき、アンクル２ｉの重心は、重心１００ｉに位置し、またアンクル真１８の回転中心１０４から距離１０２ｉだけ離れている。距離１０２ｉは、前記材料条件のとき４２８ミクロンメートルであり、従来の距離１０２の４３８ミクロンメートルに比べて、重心がアンクル真１８の回転中心１０４に近づいていることが分かる。
【００８１】
重心１００ｉが回転中心１０４に近づくことにより、時計の姿勢の違いによるアンクル２ｉの回転動作の変動を低減することができる。よって、姿勢の違いによる伝達回転トルクの変動を低減することができる。よって、姿勢の違いによるテンプの振り角変動が低減する。よって、歩度変動が低減するため、その結果時計の計時精度が向上する。
【００８２】
以上説明したように、本発明の実施の形態９に係る重心調整部材を備えた機械式時計は、計時精度を向上することができる。
また、実施の形態９は、実施の形態１から８とともに用いてもよい。
【００８３】
尚、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
【産業上の利用可能性】
【００８４】
本発明のアンクルは、その重心位置による伝達回転トルクの変動を低減することができる。また、機械加工や除去加工、電気鋳造などの簡単な工程で製造することができる。したがって、本発明によって、重心位置による伝達回転トルクの変動が小さいアンクルを含む脱進機を備えた機械式時計を生産することができる。
【符号の説明】
【００８５】
２、２ａ、２ｂ、２ｃ、２ｄ、２ｅ、２ｆ、２ｇ、２ｈ、２ｉ  アンクル
３、３ａ、３ｂ、３ｃ、３ｄ、３ｅ、３ｆ、３ｇ、３ｈ、３ｉ、３ｊ、３ｋ、３ｌ、３ｍ、３ｎ、３ｏ  アンクル体
４  振り座
６  振リ石
８  小ツバ
９  大ツバ
８ａ  切り欠き部
１０  ケン先
１２  ハコ
１４  入ヅメ石
１６  出ヅメ石
１８  アンクル真
２０、２０ｂ、２０ｅ  入ウデ
２２、２２ｃ  出ウデ
２４、２４ａ、２４ｄ  サオ
２６、２８  クワガタ
６８  ガンギ車
６８ａ  上軸部
６８ｂ  下軸部
６８ｃ  カナ部
６８ｄ  歯車部
１００、１００ａ、１００ｂ、１００ｃ、１００ｄ、１００ｅ、１００ｆ、１００ｇ、１００ｈ、１００ｉ  重心
１０２、１０２ａ、１０２ｂ、１０２ｃ、１０２ｄ、１０２ｅ、１０２ｆ、１０２ｇ、１０２ｈ、１０２ｉ  重心-回転中心間距離
１０４  回転中心
５１６  テン真
５１６ａ  下軸部
５１６ｂ  テン輪
５１６ｃ  ヒゲゼンマイ
５１６ｄ  ヒゲ玉
５４４ａ  ヒゲ持
６０３  脱進機
６０４  調速機
６０５  脱進調速機
６０６  ケン先穴
６０７ａ、６０７ｂ、６０７ｃ、６０７ｄ、６０７ｅ、６０７ｆ、６０７ｇ、６０７ｈ、６０７ｉ  接続部
【図１】
2012073208.tif 000003
【図２】
2012073208.tif 000004
【図３】
2012073208.tif 000005
【図４】
2012073208.tif 000006
【図５】
2012073208.tif 000007
【図６】
2012073208.tif 000008
【図７】
2012073208.tif 000009
【図８】
2012073208.tif 000010
【図９】
2012073208.tif 000011
【図１０】
2012073208.tif 000012
【図１１】
2012073208.tif 000013
【図１２】
2012073208.tif 000014
【図１３】
2012073208.tif 000015
【図１４】
2012073208.tif 000016